(57)【特許請求の範囲】
【請求項１】
基準フレームレートを整数倍した逓倍フレームレートの映像フォーマットに対して、フレーム単位での操作を行う映像制御装置であって、
前記逓倍フレームレートの映像フォーマットには、タイムコードとして、基準フレームのフレーム番号、及び当該フレーム番号に対応する逓倍分のサブフレーム識別子が付与されており、
前記フレーム番号の単位で戻し又は送りを指示する第１操作部と、
前記第１操作部と同心円状に配置され、前記サブフレーム識別子の単位で戻し又は送りを指示する第２操作部と、を備える映像制御装置。
【請求項２】
前記第１操作部及び前記第２操作部は、それぞれ回転操作量に応じて戻し量又は送り量を指示するジョグダイヤルであり、互いに独立した回転操作を受け付ける請求項１に記載の映像制御装置。
【請求項３】
前記第２操作部は、１回転の操作量に対して前記フレーム番号を１つ移動させ、当該１回転の操作量を等分割した角度毎に前記サブフレーム識別子を１つ移動させるように戻し量又は送り量を指示する請求項２に記載の映像制御装置。
【請求項４】
前記第１操作部及び前記第２操作部のそれぞれに対応して、１回の押下によって１単位の送り又は戻しの移動を、長押しによって送り又は戻しの連続移動を指示するボタンを備える請求項１から請求項３のいずれかに記載の映像制御装置。
【請求項５】
前記第２操作部に対する操作を有効又は無効に切り替える第１切替部を備える請求項１から請求項４のいずれかに記載の映像制御装置。
【請求項６】
前記第１操作部を前記第２操作部と同一の機能部として動作させるか否かを切り替える第２切替部を備える請求項１から請求項５のいずれかに記載の映像制御装置。
【請求項７】
請求項１から請求項６のいずれかに記載の映像制御装置を備えた編集装置。
【請求項８】
請求項１から請求項６のいずれかに記載の映像制御装置を備えた記録再生装置。
【発明の詳細な説明】
【技術分野】
【０００１】
本発明は、高フレームレートの映像フォーマットの再生位置を制御する映像制御装置、編集装置及び記録再生装置に関する。
【背景技術】
【０００２】
従来、放送局又は映画製作現場等における映像編集を行う業務では、映像信号のフレーム１枚毎に固有の番号を割り当てたタイムコード（Ｔｉｍｅ  Ｃｏｄｅ、以下ＴＣという。）と呼ばれるインデキシング情報が利用されている。ＴＣは、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ、米国映画テレビ技術者協会）において標準化されている（例えば、非特許文献１〜３参照）。
【０００３】
また、映像フォーマットとして、複数のフレームレートが採用されている。
例えば、映画の場合、主に１秒間に２４フレーム（２４  Ｆｒａｍｅ  ｐｅｒ  ｓｅｃｏｎｄ、以下２４ｆｐｓ）での動画撮影及び表示を行っている。また、テレビの場合、ＮＴＳＣフォーマットでは、６０ｆｐｓ又は５９．９４ｆｐｓ、ＰＡＬ及びＳＥＣＡＭでは、５０ｆｐｓ、ＨＤＴＶ（Ｈｉｇｈ−ｄｅｆｉｎｉｔｉｏｎ  ｔｅｌｅｖｉｓｉｏｎ）では、５９．９４ｆｐｓで運用されている。以下、これらを基準フレームレートと呼ぶ。
特に、ＶＴＲ又はその他映像記録機器では、ＬＴＣ（Ｌｏｎｇｉｔｕｄｉｎａｌ  Ｔｉｍｅ  Ｃｏｄｅ）又はＶＩＴＣ（Ｖｅｒｔｉｃａｌ  Ｉｎｔｅｒｖａｌ  Ｔｉｍｅ  Ｃｏｄｅ）等のＴＣが採用され、映像編集業務等に利用されている。
また、これら映像フォーマットの間でＴＣを変換、生成する技術が提案されている（例えば、特許文献１，２参照）。
【０００４】
さらに、近年、１２０、１８０、２４０Ｈｚ等の倍速表示ディスプレイや、１２０、２４０Ｈｚ駆動撮像素子が登場している。
また、映像の画素数フォーマットについても、１９２０×１０８０のＨＤＴＶから、３８４０×２１６０の、いわゆる４ｋ２ｋや、７６８０×４３２０の、いわゆる８Ｋと高精細化され、画面も大型化の傾向にある。このため、動画表示時の時間分解能の粗さが目立つようになり、時間分解能を上げるために、６０ｆｐｓを超える９６ｆｐｓ、１００ｆｐｓ、１１９．８８ｆｐｓ、１２０ｆｐｓ等の高いフレーム周波数の映像フォーマットが望まれている。
これらの高フレームレートの映像に対して、基準フレームレートの映像と互換性のあるＴＣが提案されている（例えば、特許文献３参照）。
【先行技術文献】
【特許文献】
【０００５】
【特許文献１】特許第４４３８８４９号公報
【特許文献２】特許第４１３０３７６号公報
【特許文献３】特開２０１４−１６５６８０号公報
【非特許文献】
【０００６】
【非特許文献１】ＳＭＰＴＥ  １２Ｍ
【非特許文献２】ＳＭＰＴＥ  ２６２Ｍ
【非特許文献３】ＳＭＰＴＥ  ３０９Ｍ
【発明の概要】
【発明が解決しようとする課題】
【０００７】
ところで、６０ｆｐｓ以下の映像フォーマットの場合、業務用の映像編集、音入れ作業、映像と音声の同期運転、放送送出等において、従来のＴＣフォーマットで運用できていた。
例えば、ＮＴＳＣ又はＨＤＴＶの５２５，１０８０／６０方式においては、１秒間に３０フレーム又は２９．９７フレームの画像を表示し、インタレース方式では、１秒間に６０フレームの映像を、奇数（ｏｄｄ）番号の走査線で構成されるフレームと、偶数（ｅｖｅｎ）番号の走査線で構成されるフレームとで分けてインデキシングして表示している。このとき、ＴＣには、０ｆ  ｏｄｄ／ｅｖｅｎ、１ｆ  ｏｄｄ／ｅｖｅｎ、・・・、２９ｆ  ｏｄｄ／ｅｖｅｎの順で、１秒当たり６０のフレーム番号が割り当てられる。
【０００８】
一方、１２０ｆｐｓ又は２４０ｆｐｓ等、基準フレームレートの整数倍のフレームレートで表される映像信号については、既存のＴＣを基準に同期運転したり映像編集したりする場合、従来のフレーム番号に加え、固有のサブフレームを割り当てて表現することができる。なお、上記の奇数（ｏｄｄ）フレーム及び偶数（ｅｖｅｎ）フレームについても、サブフレームとして扱うことができる。
【０００９】
そこで、従来使用されてきたＮＴＳＣフォーマットの標準テレビジョン、走査線数１０８０本の高精細テレビジョン（Ｈｉｇｈ−Ｄｅｆｉｎｉｔｉｏｎ  Ｔｅｌｅｖｉｓｉｏｎ，ＨＤＴＶ）、又は走査線数２１６０本若しくは４３２０本の超高精細テレビジョン（いわゆる４Ｋ若しくは８Ｋと呼ばれる、Ｕｌｔｒａ  Ｈｉｇｈ−Ｄｅｆｉｎｉｔｉｏｎ  Ｔｅｌｅｖｉｓｉｏｎ）において、２４、２５、２９．９７、３０ｆｐｓ等の基準フレームレートの映像と、これらの整数倍の高フレームレートの映像とを、互換を取りながら混在して映像編集することが想定される。このようなフレームレートが異なる複数の映像を同時に扱う際に、映像編集作業者は、フォーマット間で時間軸の対応関係を識別することが難しいことから、映像編集作業上の人為的な誤操作を引き起こし、作業効率が低下するおそれがあった。
【００１０】
本発明は、基準フレームレートの映像素材と、基準フレームレートを超える高フレームレートの映像素材とが混在する環境においても、サブフレーム単位での取り扱いを容易にする映像制御装置を提供することを目的とする。
【課題を解決するための手段】
【００１１】
本発明に係る映像制御装置は、基準フレームレートを整数倍した逓倍フレームレートの映像フォーマットに対して、フレーム単位での操作を行う映像制御装置であって、前記逓倍フレームレートの映像フォーマットには、タイムコードとして、基準フレームのフレーム番号、及び当該フレーム番号に対応する逓倍分のサブフレーム識別子が付与されており、前記フレーム番号の単位で戻し又は送りを指示する第１操作部と、前記サブフレーム識別子の単位で戻し又は送りを指示する第２操作部と、を備える。
【００１２】
前記第１操作部及び前記第２操作部は、それぞれ回転操作量に応じて戻し量又は送り量を指示するジョグダイヤルであり、互いに独立した回転操作を受け付けてもよい。
【００１３】
前記第２操作部は、前記第１操作部と同心円状に配置されてもよい。
【００１４】
前記第２操作部は、１回転の操作量に対して前記フレーム番号を１つ移動させ、当該１回転の操作量を等分割した角度毎に前記サブフレーム識別子を１つ移動させるように戻し量又は送り量を指示してもよい。
【００１５】
前記第１操作部及び前記第２操作部は、それぞれ押下操作量に応じて戻し量又は送り量を指示するボタンであってもよい。
【００１６】
前記映像制御装置は、前記第２操作部に対する操作を有効又は無効に切り替える第１切替部を備えてもよい。
【００１７】
前記映像制御装置は、前記第１操作部を前記第２操作部と同一の機能部として動作させるか否かを切り替える第２切替部を備えてもよい。
【発明の効果】
【００１８】
本発明によれば、基準フレームレートの映像素材と、基準フレームレートを超える高フレームレートの映像素材とが混在する環境においても、サブフレーム単位での取り扱いが容易になる。
【図面の簡単な説明】
【００１９】
【図１】実施形態に係る編集装置の全体構成を示す図である。
【図２】実施形態に係る操作コントローラの構成を示す図である。
【図３】実施形態に係る操作コントローラに対する操作入力に応じて表示される映像フレームの遷移例を示す図である。
【図４】実施形態に係る異なるフレームレートの映像素材が混在する場合の映像編集方法を例示する図である。
【図５】実施形態に係る記録再生装置の全体構成を示す図である。
【図６】実施形態に係るフレームとサブフレームとの位置付けを例示する図である。
【図７】実施形態に係るＴＣの提示方法の第１の例を示す図である。
【図８】実施形態に係るＴＣの提示方法の第２の例を示す図である。
【図９】実施形態に係るＴＣの提示方法の第３の例を示す図である。
【図１０】実施形態に係るＴＣの提示方法の第４の例を示す図である。
【図１１】実施形態に係るＴＣの提示方法の第５の例を示す図である。
【発明を実施するための形態】
【００２０】
映像データを処理（例えば、生成、記録）するコンピュータは、所定のフレームレートの映像フォーマットの時間同期を取るために、この映像フォーマットのフレーム毎に固有のＴＣを割り当てる。
まず、このＴＣの割り当て及び提示方法について説明する。
【００２１】
例えば、３０Ｐ（３０ｆｐｓ、プログレッシブ）のような３０ｆｐｓの映像フォーマットの場合、１秒当たり０ｆ（Ｆｒａｍｅ）〜２９ｆの３０フレーム分のＴＣが割り当てられる。また、６０ｉ（インタレース）又は６０Ｐ（プログレッシブ）のような６０ｆｐｓの映像フォーマットの場合、１秒当たり０ｆ−Ｏｄｄ、０ｆ−Ｅｖｅｎ、１ｆ−Ｏｄｄ、１ｆ−Ｅｖｅｎ、・・・、２９ｆ−Ｏｄｄ、２９ｆ−Ｅｖｅｎのように、３０枚のメインフレームのそれぞれに対して２枚のサブフレーム（Ｏｄｄ／Ｅｖｅｎ）があるものとして、合計で６０フレーム分のＴＣが割り当てられる。
【００２２】
さらに、６０ｆｐｓを超えるフレームレートを持つ映像フォーマットの場合には、６０ｆｐｓ以下のフレーム周波数（例えば、６０ｆｐｓ）を持つ映像フォーマットで用いられるＴＣの間を補完するサブフレーム識別子が付与される。これにより、６０ｆｐｓ以下のフレームレートを持つ映像フォーマットで用いられるＴＣとの互換性を保ち、かつ、各フレーム（サブフレーム）が一意に識別される。
【００２３】
図６は、本実施形態に係る高フレームレート映像のＴＣにおける、フレームとサブフレームとの位置付けを例示する図である。
この例では、１２０ｆｐｓで撮像され表示される動画の場合に、各フレームに対して同期運転及び記録等のためにＴＣを割り当てる方法を示している。
【００２４】
１２０ｆｐｓの映像フォーマットの場合に、１秒間に相当する１２０枚のフレームは、まず、００から２９までのフレーム番号でグループ化される。そして、０から２９までのフレーム番号それぞれに対して、６０ｆｐｓの場合の２つのサブフレーム識別子（Ｏｄｄ／Ｅｖｅｎ）を含む４つのサブフレーム識別子（Ｏｄｄ／Ｑｕａｔｅｒ／Ｅｖｅｎ／Ｔｈｒｅｅ−Ｑｕａｒｔｅｒｓ）が順に付与される。これにより、１秒当たり１２０フレームの全てに固有のＴＣが割り当てられる。
【００２５】
図７〜図１１は、本実施形態に係るサブフレーム識別子が付与されたＴＣの提示方法を例示する図である。
サブフレーム識別子が付与されたＴＣは、サブフレーム識別子を、循環又はカウントアップする表示、あるいは、固有の文字等を表示することにより、例えば以下のように表現される。
【００２６】
（ａ）表示領域（例えば、数字表示用の７セグメントディスプレイ）において、外周上に、順次点灯させるセグメントが設定される。各サブフレーム識別子に対応するセグメントの組が順に、例えば（上側バー、右側バー、下側バー、左側バー）の順に循環して点灯される（図７）。
【００２７】
（ｂ）表示領域において、円周上に、順次表示させる尖頭状のキャラクタが設定される。各サブフレーム識別子に対応する向きのキャラクタを順に、例えば（上向き、右向き、下向き、左向き）の順に循環して表示される（図８）。
【００２８】
（ｃ）表示領域において、フレーム番号と同様の数字が０又は１からカウントアップさせて順次表示される（図９）。
【００２９】
（ｄ）表示領域において、同一キャラクタ（例えば、ドット）の数が順次増加して同一線（直線又は曲線）上に並べて表示される（図１０）。
【００３０】
（ｅ）表示領域において、各サブフレーム識別子に対応する固有の文字が表示される（図１１）。
【００３１】
［第１実施形態］
以下、本発明の第１実施形態について説明する。
本実施形態の編集装置１は、前述のＴＣが割り当てられた映像データを編集する装置である。
【００３２】
図１は、本実施形態に係る編集装置１の全体構成を示す図である。
編集装置１は、映像制御装置としての操作コントローラ１０と、記録媒体２１を含む本体部２０と、表示部３０とを備える。
【００３３】
操作コントローラ１０は、編集操作者が映像フレームを時間軸上で戻したり送ったりすることにより、サブフレーム単位で映像素材の位置を指定するための操作部である。
【００３４】
本体部２０は、編集装置１の全体を制御する情報処理部（コンピュータ）であり、映像編集用のソフトウェアを実行することにより、操作コントローラ１０からの操作入力を受け付けて、記録媒体２１に記録されている映像素材の編集及び表示部３０への表示制御等を行う。
記録媒体２１は、例えば光学フィルム、磁気テープ、磁気ディスク、光ディスク、固体型メモリ等を含み、映像を記録保存し再生するための媒体である。
【００３５】
表示部３０は、本体部２０の表示制御により、例えば、複数の映像素材をつなげ動画として再構成する際の、編集前及び編集後の映像素材のフレーム、並びに編集用の各種情報等を表示する。
【００３６】
図２は、本実施形態に係る編集装置１の操作コントローラ１０の構成を示す図である。
操作コントローラ１０は、高速ジョグ１１と、低速ジョグ１２と、高速戻しボタン１３−１と、高速送りボタン１３−２と、低速戻しボタン１４−１と、低速送りボタン１４−２と、微小移動ジョグ１５と、微小戻しボタン１６−１と、微小送りボタン１６−２と、切替ボタン１７とを備える。
【００３７】
高速ジョグ１１は、編集操作者が映像フレームを時間軸上で高速に（例えば、１秒単位で）戻したり送ったりするための高速戻し送り用操作部（ジョグダイヤル）である。
低速ジョグ１２は、編集操作者が映像フレームを時間軸上で低速に（例えば、サブフレーム識別子が同一の基準フレーム単位で）戻したり送ったりするための、コマ戻し送り用操作部（ジョグダイヤル）である。
編集操作者が高速ジョグ１１又は低速ジョグ１２を、時計回りに回すと回転操作量に応じて映像フレームが時間軸上で先に送られ、反時計回りに回すと、時間軸上で映像が戻り、映像フレームが表示部３０に表示される。
【００３８】
高速戻しボタン１３−１及び高速送りボタン１３−２は、高速ジョグ１１と同様の機能を有する。すなわち、高速戻しボタン１３−１が押下されることにより、映像が高速に戻され、高速送りボタン１３−２が押下されることにより、映像が高速に送られる。
低速戻しボタン１４−１及び低速送りボタン１４−２は、低速ジョグ１２と同様の機能を有する。すなわち、低速戻しボタン１４−１が押下されることにより、映像が低速に戻され、低速送りボタン１４−２が押下されることにより、映像が低速に送られる。
【００３９】
微小移動ジョグ１５は、高フレームレート映像フォーマット用のサブフレームを独立して動かすために、低速ジョグ１２の内側の同心円上に、サブフレーム単位での微移動用操作部（ジョグダイヤル）として設けられる。
編集操作者が微小移動ジョグ１５を時計回りに回すと、回転操作量に応じて時間軸上で映像がサブフレーム単位で先に送られ、反時計回りに回すと、時間軸上で映像がサブフレーム単位で戻され、映像フレーム（サブフレーム）が表示部３０に表示される。
なお、微小移動ジョグ１５には、低速ジョグ１２と同様、指先での移動操作がしやすいよう、切り欠き部１５１が設けられてもよい。
【００４０】
微小移動ジョグ１５は、１回転の操作量に対して、フレーム番号１つ分だけサブフレームを移動指示するものであってよい。この場合、１回転の操作量を等分割した角度毎に前記サブフレーム識別子を１つ移動させる構成であってよい。編集操作者は、例えば、１２０ｆｐｓの映像のＯｄｄサブフレームが選択されている状態で微小移動ジョグ１５の上部に指を置いて時計回りに回転させた場合、９０度回転させる度に、Ｑｕａｔｅｒ、Ｅｖｅｎ、Ｔｈｒｅｅ−Ｑｕａｒｔｅｒｓ、Ｏｄｄの順にサブフレームを移動させることになる。このとき、指の位置（方向）は、サブフレーム識別子の表示（例えば、図７又は図８）と連動するため、編集操作者は、選択中の時間位置を容易に把握できる。
なお、切り欠き部１５１が所定の位置、例えば上部に位置しているときに、基準フレームレートの各フレームに対応したＯｄｄサブフレームが常に選択されてもよい。
【００４１】
微小戻しボタン１６−１及び微小送りボタン１６−２は、微小移動ジョグ１５と同様の機能を有する。すなわち、微小戻しボタン１６−１が押下されることにより、映像がサブフレーム単位で戻され、微小送りボタン１６−２が押下されることにより、映像がサブフレーム単位で送られる。
これらのボタンは、１回の押下によりサブフレーム１つの移動を指示するものであってよい。また、ボタンの長押しによって連続移動を指示できる構成であってもよい。
【００４２】
図３は、本実施形態に係る操作コントローラ１０に対する操作入力に応じて表示部３０において表示される映像フレームの遷移例を示す図である。
【００４３】
例えば、ある時間位置の映像３１で静止している際に、ＴＣ表示３１１が「１０時（ｈ）１０分（ｍ）１０秒（ｓ）１５フレーム（ｆ）Ｏｄｄサブフレーム」となっている。
編集操作者は、微小移動ジョグ１５を時計回りに回すか、又は微小送りボタン１６−２を１回押下することにより、１サブフレーム次の映像３２に移動させることができ、このとき、ＴＣ表示３２１は、「１０時（ｈ）１０分（ｍ）１０秒（ｓ）１５フレーム（ｆ）Ｑｕａｒｔｅｒサブフレーム」となる。
手前のサブフレームに戻るときも同様に、編集操作者は、微小移動ジョグ１５を反時計回りに回すか、又は微小戻しボタン１６−１を１回押下することで、１サブフレーム手前の「１０時（ｈ）１０分（ｍ）１０秒（ｓ）１４フレーム（ｆ）Ｔｈｒｅｅ−Ｑｕａｒｔｅｒｓサブフレーム」に移動させることができる。
【００４４】
また、編集操作者は、低速ジョグ１２を時計回りに回すか、又は低速送りボタン１４−２を１回押下することで、１フレーム先の映像３３に移動させることができる。このときのＴＣ表示３３１は、「１０時（ｈ）１０分（ｍ）１０秒（ｓ）１６フレーム（ｆ）Ｏｄｄサブフレーム」となる。同様に、編集操作者は、低速ジョグ１２を反時計回りに回すか、又は低速戻しボタン１４−１を１回押下することで、１フレーム手前の映像に移動させることができる。
【００４５】
さらに、編集操作者は、高速ジョグ１１、又は高速戻しボタン１３−１若しくは高速送りボタン１３−２を操作して、高速にフレームを戻し送りできる。
なお、低速又は高速移動の場合、本体部２０は、サブフレーム識別子が同一となるように映像フレームを戻し送りしてもよいし、常にＯｄｄサブフレームを選択するように戻し送りしてもよい。
【００４６】
切替ボタン１７は、微小移動用又は低速移動用の操作部それぞれに対する機能割り当ての状態を切り替えるボタンである。
具体的には、切替ボタン１７は、以下の状態のいずれかを選択的に切り替える。
【００４７】
（状態１）前述の各操作部に対する操作が有効（アクティブ）となる。すなわち、微小移動ジョグ１５、微小戻しボタン１６−１及び微小送りボタン１６−２に対する操作によりサブフレーム単位での戻し送りが行われ、低速ジョグ１２、低速戻しボタン１４−１及び低速送りボタン１４−２に対する操作によりフレーム番号単位での戻し送りが行われる。
【００４８】
（状態２）微小移動ジョグ１５、微小戻しボタン１６−１及び微小送りボタン１６−２に対する操作が無効（非アクティブ）となり、低速ジョグ１２、低速戻しボタン１４−１及び低速送りボタン１４−２の操作によりサブフレーム単位での戻し送りが行われる。
あるいは、微小移動ジョグ１５、微小戻しボタン１６−１及び微小送りボタン１６−２に対する操作が有効なまま、低速ジョグ１２、低速戻しボタン１４−１及び低速送りボタン１４−２の操作に対しても、サブフレーム単位での戻し送りが行われる。すなわち、微小移動と低速移動とが、どちらもサブフレーム単位での移動という同一の機能になる。
【００４９】
（状態３）微小移動ジョグ１５、微小戻しボタン１６−１及び微小送りボタン１６−２に対する操作が無効（非アクティブ）になり、サブフレーム単位での戻し送り操作が禁止される。
この場合、サブフレームを持つ高フレームレートの映像でも、先頭サブフレーム（例えば、Ｏｄｄサブフレーム）だけが採用され、他のサブフレーム（例えば、Ｏｄｄサブフレーム以外の、Ｑｕａｒｔｅｒサブフレーム、Ｅｖｅｎサブフレーム、Ｔｈｒｅｅ−Ｑｕａｒｔｅｒｓサブフレーム）が無視される。編集操作者は、フレームレートが混在する際に、サブフレームが自動的に間引かれることにより、基準フレームレートで編集後の映像を容易に作成することができる。
【００５０】
切替ボタン１７は、押下される度に上記の状態１〜３を順に切り替える。このとき、操作コントローラ１０は、例えば、切替ボタン１７自身又は近傍のインジケータを、状態１（アクティブモード）の時は橙色に点灯させ、状態２（非アクティブモード１）の時は緑色に点灯させ、状態３（非アクティブモード２）の時は消灯させ、編集操作者にいずれの状態であるかを報知できる。
【００５１】
なお、切替ボタン１７は、状態１〜３それぞれに切り替える複数のボタンにより構成されてもよい。また、状態１と状態３とを切り替える操作部（第１切替部）、若しくは状態１と状態２とを切り替える操作部（第２切替部）のいずれか、又は両方を備える構成であってもよい。
【００５２】
図４は、本実施形態に係る編集装置１による、異なるフレームレートの映像素材が混在する場合の映像編集方法を例示する図である。
【００５３】
表示部３０には、例えば、編集素材Ａ又はＢを提示する画面（Ｍ）と、編集後の画面（Ｎ）とがそれぞれＴＣと共に表示される。また、時間軸と共に描かれた映像素材ロール上で、編集済み映像における素材Ａ又は素材Ｂの区分け、さらには、編集済み映像における時間位置と、素材Ａ又は素材Ｂにおける時間位置との対応付けが表示される。
【００５４】
この例では、より具体的に、基準フレームレート映像（３０ｆｐｓ映像、ここでは動画Ａとする）と、高フレームレート映像（４逓倍に相当する１２０ｆｐｓ映像、ここでは動画Ｂとする）との、異なる映像フォーマットが混在している。
編集操作者は、２つの異なるフォーマットの映像をつなぎ、基準フレームレート（３０ｆｐｓ映像）のフォーマットで、例えば、３分０秒０フレーム分の編集済み映像を作成することを想定する。
【００５５】
まず、操作コントローラ１０は、切替ボタン１７によって状態１（アクティブモード）に設定されていることを前提とする。
動画Ａは、基準フレームレート映像であるため、サブフレームで分割される映像は存在せず、いずれのフレーム位置についても、サブフレームを仮に割り当てた場合、すべて同一のサブフレーム位置（Ｏｄｄ）に相当する。例えば、ＴＣが「１０時（ｈ）１０分（ｍ）１０秒（ｓ）１５フレーム（ｆ）」の開始時刻位置の映像だと、このフレームから１分３０秒１５フレーム分の映像を採用すると、映像終了位置のＴＣは、「１０時（ｈ）１１分（ｍ）４０秒（ｓ）２９フレーム（ｆ）」となる。
【００５６】
この後に、フレームレートの異なる動画Ｂの映像を、開始ＴＣが「１０時（ｈ）２０分（ｍ）３０秒（ｓ）１１フレーム（ｆ）Ｏｄｄサブフレーム」の時刻位置から、基準フレームレートで１分２９秒１５フレーム分つなげようとした場合、編集操作者は、終了ＴＣが「１０時（ｈ）２１分（ｍ）５９秒（ｓ）２５フレーム（ｆ）Ｏｄｄサブフレーム」の時刻位置までのＱｕａｒｔｅｒサブフレーム、Ｅｖｅｎサブフレーム、Ｔｈｒｅｅ−Ｑｕａｒｔｅｒｓサブフレームを無視し間引いて編集する。
このとき、編集操作者は、作業上、フレーム番号を動画Ａと動画Ｂとで同様に取り扱うことがでる。サブフレームについては、編集操作者は、サブフレーム識別子を象徴的に示すキャラクタ（ここでは尖頭の方向）を微小移動ジョグ１５、微小戻しボタン１６−１又は微小送りボタン１６−２を使って揃えるだけで、容易に編集することができる。
【００５７】
このサブフレーム位置の決定においては、高速ジョグ１１、低速ジョグ１２、高速戻しボタン１３−１、高速送りボタン１３−２、低速戻しボタン１４−１又は低速送りボタン１４−２に組み合わせて、編集操作者は、さらにサブフレーム開始位置を変更させる場合等において、微小移動ジョグ１５、微小戻しボタン１６−１又は微小送りボタン１６−２を使って精緻にサブフレーム位置を移動させることできる。したがって、フレームレートが混在した映像素材の編集が容易になる。
【００５８】
なお、切替ボタン１７によって状態２（非アクティブモード１）を選択した場合においても、編集操作者は、低速ジョグ１２、低速戻しボタン１４−１又は低速送りボタン１４−２を使って同様のサブフレーム精度での操作が可能である。
【００５９】
また、切替ボタン１７で状態３（非アクティブモード２）が選択された場合、編集装置１は、開始フレーム番号の最初のサブフレーム（例えば、Ｏｄｄ）から終了フレーム番号の最初のサブフレーム（例えば、Ｏｄｄ）までを自動で採用するので、この場合も編集操作者は、容易に編集作業をすることができる。
【００６０】
このように、例えば、基準フレームレート映像に高フレームレート映像を時間軸上でつなぐ際には、編集操作者は、フレーム番号を基準フレームレート映像と同一概念でカウントすることができるので、識別しやすく効率的に編集作業進められる。
【００６１】
一方、本実施形態におけるサブフレームの概念を適用せずに、上記の１２０ｆｐｓの高フレームレート映像において、ＴＣのフレームのインデキシングに０〜１１９を単純に割り当てて編集する場合を想定する。このとき、基準フレームレートでいうＴＣ「１０時（ｈ）２０分（ｍ）３０秒（ｓ）１１フレーム（ｆ）」から同様の１分２９秒１５フレーム分をつなげるよう編集しようとすると、高フレームレート映像の開始ＴＣ「１０時（ｈ）２０分（ｍ）３０秒（ｓ）４４フレーム（ｆ）」から、終了ＴＣ「１０時（ｈ）２１分（ｍ）５９秒（ｓ）１００フレーム（ｆ）」まで、高フレームレート映像でいう１分２９秒５７フレーム先までつなげるという呼び方となってしまう。したがって、両映像素材のフレーム間の対応付けがフレーム番号ではとれず、編集作業が複雑となる。
【００６２】
このため、例えば１つの共同編集作業を想定し、１編集室で、編集操作担当者と、編集を指示するプログラムディレクタ又は音響効果入力担当者等が共同で作業をする場合、映像素材毎に固有の呼称が飛び交うことになり、誤編集を起こす原因となり、作業効率が低下する。さらに、映像フォーマットが基準フレームレートの一定倍（ここでは４倍）のみならず、３倍、５倍、６倍等の複数の映像フォーマットが混在する場合の編集作業は一層複雑となる。
また、編集済み映像を高フレームレート映像（１２０ｆｐｓ映像）フォーマットで作成しようとした場合を想定しても、基準フレームレート映像のフレームを補完して編集する必要が生じるため、様々なフレーム数の呼称が編集作業時に飛び交い、同様に誤編集又は作業効率の低下を引き起こす可能性がある。
【００６３】
本実施形態によれば、編集装置１は、フレーム番号単位での戻し又は送りを指示する低速ジョグ１２とは別に、サブフレーム識別子単位で戻し又は送りを指示する微小移動ジョグ１５を備える。したがって、編集装置１は、基準フレームレートの映像素材と、基準フレームレートを超える高フレームレートの映像素材とが混在する環境においても、両映像素材をフレーム番号単位で同一の時間スケールで移動させたり、サブフレーム単位で微調整したりできるので、サブフレーム単位での取り扱いを容易にする。
【００６４】
また、低速ジョグ１２と微小移動ジョグ１５とは、独立して回転操作を受け付けるので、編集操作者は、フレーム番号単位又はサブフレーム単位で任意に、かつ、ジョグダイヤルによって感覚的に容易に映像データを操作できる。
さらに、微小移動ジョグ１５は、低速ジョグ１２の内側に同心円状に配置されるので、編集操作者は、映像に対するコマ戻し送りの操作をフレーム番号単位の戻し送りと同様の動きで容易に行うことができる。
【００６５】
また、編集装置１は、微小移動ジョグ１５の１回転をフレーム番号１つ分の操作量とすることにより、基準フレームレートを逓倍した高フレームレートについて、１回転に対して逓倍分の１の角度をサブフレーム１つ分の操作量とできる。これにより、編集操作者は、基準フレーム（例えば、Ｏｄｄサブフレーム）間の各サブフレームへの戻し量又は送り量を感覚的に容易に把握できる。
【００６６】
また、編集装置１は、微小戻しボタン１６−１又は微小送りボタン１６−２を設けることにより、ジョグダイヤルとは別に、ボタン操作による映像操作を可能にし、編集操作者の状況に応じた利便性を向上できる。
【００６７】
また、編集装置１は、操作コントローラ１０に切替ボタン１７を設けることにより、微小移動又は低速移動の各操作部（ジョグダイヤル及びボタン）の役割を前述の状態１、２又は３のいずれかに切り替えることができる。したがって、編集装置１は、編集対象の映像素材のフレームレート又は編集操作者の状況に応じて、適宜操作性を変更できるので、利便性が向上する。
【００６８】
［第２実施形態］
以下、本発明の第２実施形態について説明する。
第１実施形態では、編集装置１を示したが、映像制御装置の適用範囲はこれには限られず、同様のサブフレームを戻し送る操作が伴う機器に適用可能である。本実施形態では、高フレームレート映像収録用の記録再生装置２を説明する。
【００６９】
記録再生装置２は、放送業務用映像を取り扱うビデオテープレコーダ（ＶＴＲ）、ハードディスクレコーダ、光ディスクレコーダ、固体メモリ（ＳＳＤ等）レコーダ等が含まれる。これらの記録再生装置２には、フレームを戻し送りできるジョグ操作部が設けられることが一般的であり、編集装置と接続して使用されることも多い。
【００７０】
図５は、本実施形態に係る記録再生装置２の全体構成を示す図である。
記録再生装置２は、映像制御装置としての操作コントローラ１０ａと、本体部２０ａとを備える。
【００７１】
本体部２０ａは、記録再生装置２の全体を制御する情報処理部（コンピュータ）であり、記録再生用のソフトウェアを実行することにより、操作コントローラ１０ａからの操作入力を受け付けて、記録媒体に映像を記録、又は記録されている映像の再生（出力）等を行う。
【００７２】
操作コントローラ１０ａは、第１実施形態の操作コントローラ１０と同様に、フレーム及びサブフレーム単位の操作部として、高速ジョグ１１、低速ジョグ１２、高速戻しボタン１３−１、高速送りボタン１３−２、低速戻しボタン１４−１、低速送りボタン１４−２、微小移動ジョグ１５、微小戻しボタン１６−１、微小送りボタン１６−２、切替ボタン１７を備える。これにより、高フレームレート映像において、フレームとサブフレームとで構成された前述のＴＣが各映像にインデキシングされている際に、作業者は、映像の移動操作を容易で効率的に行える。
【００７３】
操作コントローラ１０ａは、さらに、記録再生の操作を行うためのボタン群を備える。具体的には、例えば、再生ボタン１８−１、停止ボタン１８−２、チャプタ単位での戻しボタン１８−３及び送りボタン１８−４、録画ボタン１８−５等が設けられる。
さらに、操作コントローラ１０ａは、映像の表示部３０ａを備えてもよい。表示部３０ａは、本体部２０ａの表示制御により、再生中若しくは録画中の映像、又は操作部によって選択されたフレームの映像等の表示を行う。
【００７４】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００７５】
本実施形態の微小移動ジョグ１５は、高速ジョグ１１及び低速ジョグ１２の内側に同心円状に配置されているが、これには限られない。微小移動ジョグ１５は、高速ジョグ１１及び低速ジョグ１２とは別の位置に配置されてもよい。
【００７６】
本実施形態の操作コントローラ１０は、ジョグダイヤル又はボタン等からなる物理的なデバイスであるものとして説明したが、これには限られず、例えばディスプレイに表示された仮想のコントローラをタッチパネル又はマウス等の入力デバイスにより操作する形態であってもよい。
【００７７】
また、本発明は、前述の１２０ｆｐｓの映像フォーマットに限らず、３０ｆｐｓの整数倍となる例えば、６０ｆｐｓ，９０ｆｐｓ，１２０ｆｐｓ，２４０ｆｐｓや、２４ｆｐｓの整数倍となる例えば４８ｆｐｓ，７２ｆｐｓ，９６ｆｐｓや、２５ｆｐｓの整数倍となる例えば５０ｆｐｓ，７５ｆｐｓ，１００ｆｐｓ，１２５ｆｐｓ，１５０ｆｐｓに代表される映像フォーマット等にも適用できる。もちろん、本発明は、これ以上の逓倍ｆｐｓの映像フォーマットにも適用できる。また、これらのＮＤＦ（Ｎｏｎ  Ｄｒｏｐ  Ｆｒａｍｅ）モードに限らず、ＤＦ（Ｄｒｏｐ  Ｆｒａｍｅ）モードにおけるフレームレートの映像フォーマットにおいても、本発明が適用できる。
【００７８】
前述の高フレームレート映像の制御方法は、ソフトウェアにより実現される。ソフトウェアによって実現される場合には、このソフトウェアを構成するプログラムが、コンピュータにインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【符号の説明】
【００７９】
１  編集装置
２  記録再生装置
１０、１０ａ  操作コントローラ（映像制御装置）
１１  高速ジョグ
１２  低速ジョグ（第１操作部）
１３−１  高速戻しボタン
１３−２  高速送りボタン
１４−１  低速戻しボタン（第１操作部）
１４−２  低速送りボタン（第１操作部）
１５  微小移動ジョグ（第２操作部）
１６−１  微小戻しボタン（第２操作部）
１６−２  微小送りボタン（第２操作部）
１７  切替ボタン（第１切替部、第２切替部）
２０、２０ａ  本体部
３０、３０ａ  表示部
【図１】
0006523724.tif 000002
【図２】
0006523724.tif 000003
【図３】
0006523724.tif 000004
【図４】
0006523724.tif 000005
【図５】
0006523724.tif 000006
【図６】
0006523724.tif 000007
【図７】
0006523724.tif 000008
【図８】
0006523724.tif 000009
【図９】
0006523724.tif 000010
【図１０】
0006523724.tif 000011
【図１１】
0006523724.tif 000012